(57)【要約】【課題】コストアップを抑えつつ、利便性、外観美観性および作業性を向上させた誘導灯を提供する。【解決手段】誘導灯Ａは、端面から入射した光源からの光を前方に照射させる導光板５と、前方に配置される枠体１の開口部１ａを臨むようにして導光板５の前方に配置され、導光板５からの光を透過させることで所定の表示を行う表示板４と、表示板４の前方に配置されて表示板４を保護する透光性の保護カバー３と、動作表示を行うモニターランプ１６とを備えている。保護カバー３は、上部カバー３ａと下部カバー３ｂとで二重構造に形成され、下部カバー３ｂの外周端縁には導光板５よりも外側に張り出す張出部３ｃが一体に形成されている。そして、モニターランプ１６は、該モニターランプ１６の直射光が下部カバー３ｂの張出部３ｃを透過し、枠体１の開口部１ａから斜め前方に照射されるように配置されている。【選択図】図１
2010027244.tif 000002
【特許請求の範囲】
【請求項１】
端面から入射した光源からの光を前方に照射させる導光板と、前方に配置される枠体の開口部を臨むようにして導光板の前方に配置され、該導光板からの光を透過させることで所定の表示を行う表示板と、表示板の前方に配置されて該表示板を保護する透光性の保護カバーと、動作表示を行うモニターランプとを備え、前記保護カバーは、前記導光板側の少なくとも一部に該導光板よりも外側に張り出す張出部が形成され、前記モニターランプのランプ光が該張出部を透過して前記枠体の開口部から斜め前方に照射されるように、前記モニターランプが配置されたことを特徴とする誘導灯。
【請求項２】
前記ランプ光の少なくとも一部が前記保護カバーの内部を通過して前記枠体の開口部から斜め前方に照射されるように、前記ランプ光を反射させる反射板を設けたことを特徴とする請求項１記載の誘導灯。
【発明の詳細な説明】
【技術分野】
【０００１】
本発明は、誘導灯に関するものである。
【背景技術】
【０００２】
従来より、床埋込型の誘導灯が種々提供されているが、この種の誘導灯は例えば人に踏まれるような通路などに設置されるため、通常保護カバーなどで覆われている。したがって、内部に収納したモニターランプの状態を確認するためには、保護カバーやその他枠などの外郭部品を取り外さなければならず、利便性に欠けるものであった。
【０００３】
そこで、利便性を向上させるために、枠などの外郭部品にモニター構造を設けることが考えられるが、この場合モニター構造部分の保護構造や当該部分からの塵埃の侵入を防止する必要があるため、構造が複雑化するとともにコストアップになるという問題があった。
【０００４】
また、床面に直交する方向からモニターランプを視認できるように、枠と表示板の間あるいは枠と導光板の間の隙間部分にモニターランプを配置したものも提案されているが、この場合隙間を通して内部構造が見えてしまうことで、外観美観性を損なうという問題があった。
【０００５】
さらに近年では、上記の問題点を踏まえた上で、リモコン送信器を用いてモニターランプの状態確認ができるものも提案されている（例えば特許文献１参照）。この誘導灯は、表示板の材料として光透過率の高いものを用いるとともに、モニターランプを表示板に近接して配置することで、表示板を透過したランプ光を外部から視認できるようになっている。
【特許文献１】特開２００７−２５０２６７号公報（段落［００１９］−段落［００４０］、及び、第１図−第４図）
【発明の開示】
【発明が解決しようとする課題】
【０００６】
上述の特許文献１に示した誘導灯は、保護カバーや枠などの外郭部品を取り外すことなくモニターランプの状態確認を行えるものではあるが、モニターランプの出射面を表示板に対向させているため（すなわち、ランプ軸が表示板と略直交するようにモニターランプを配置しているため）、出射光が拡散するものの誘導灯に近寄らなければランプ光を視認できず、その結果誘導灯が複数ある場合には確認作業に手間がかかるものであった。
【０００７】
本発明は上記問題点に鑑みて為されたものであり、その目的とするところは、コストアップを抑えつつ、利便性、外観美観性および作業性を向上させた誘導灯を提供することにある。
【課題を解決するための手段】
【０００８】
請求項１の発明は、端面から入射した光源からの光を前方に照射させる導光板と、前方に配置される枠体の開口部を臨むようにして導光板の前方に配置され、該導光板からの光を透過させることで所定の表示を行う表示板と、表示板の前方に配置されて該表示板を保護する透光性の保護カバーと、動作表示を行うモニターランプとを備え、保護カバーは、導光板側の少なくとも一部に該導光板よりも外側に張り出す張出部が形成され、モニターランプのランプ光が該張出部を透過して枠体の開口部から斜め前方に照射されるように、モニターランプが配置されたことを特徴とする。
【０００９】
請求項２の発明は、ランプ光の少なくとも一部が保護カバーの内部を通過して枠体の開口部から斜め前方に照射されるように、ランプ光を反射させる反射板を設けたことを特徴とする。
【発明の効果】
【００１０】
請求項１の発明によれば、モニターランプを斜め方向から視認できるように構成することで、誘導灯から離れた位置からでもモニターランプの状態確認を行うことができるから、誘導灯が複数ある場合であっても確認時間を短縮することができ、特許文献１に示した誘導灯に比べて作業性を向上させることができる。また、従来例のように保護カバーや枠などの外郭部品を取り外さなくてもよく、さらにモニターランプを確認しながら、例えば他のリモコン操作なども同時に行うこともできるから利便性が向上する。また、モニターランプを枠などの外郭部品に設けた場合に比べて枠体を簡単な構造にすることができるから、コストアップを抑えることができ、さらに枠と表示板あるいは枠と導光板の間に隙間を設ける必要がないので、内部構造が見え難くなり外観美観性が向上するという効果がある。
【００１１】
請求項２の発明によれば、部品製造時のばらつきや施工時の嵌合ばらつきなどによってモニターランプからの直射光が視認できない場合であっても、反射板による反射光を視認することができるから、モニターランプの状態確認を確実に行うことができるという効果がある。
【発明を実施するための最良の形態】
【００１２】
以下に本発明に係る誘導灯の実施形態を図１〜図８に基づいて説明する。本発明に係る誘導灯は、例えば床面などの造営面に埋込配設され、避難誘導用の標識として用いられる。なお、以下の説明では特に断りがない限り、図４（ａ）中の矢印ａ−ｂの方向を上下方向、矢印ｃ−ｄの方向を前後方向、矢印ｅ−ｆの方向を左右方向として説明する。
【００１３】
本実施形態の誘導灯Ａは、図３に示すように枠体１と、パッキン２と、保護カバー３と、表示板４と、導光板５と、反射板６と、ベース７と、灯具本体８とで構成され、例えば床面に埋込配設された矩形箱状の埋込ボックス９内に収納される。
【００１４】
枠体１は、例えばステンレス製であって、中央部に矩形状の開口部１ａを有する横長の矩形枠状に形成され、枠体１の外周部分には固定ねじ１０が挿通されるねじ挿通孔１ｂが所定の位置に複数（本実施形態では６個）貫設されている。ここにおいて、開口部１ａの開口寸法は、後述する保護カバー３を構成する上部カバー３ａの外形寸法と略同寸法に設定されており、組立状態では上部カバー３ａの上面が開口部１ａを通して上方に露出するようになっている（図１参照）。
【００１５】
パッキン２は、例えば合成樹脂成形品であって、枠体１と略同じ外形寸法の矩形枠状に形成され、中央部には上記の開口部１ａと略同寸法に開口する開口部２ａが設けられている。また、上記の各ねじ挿通孔１ｂに対応する部位には、同様に固定ねじ１０が挿通されるねじ挿通孔２ｂがそれぞれ貫設されている。
【００１６】
保護カバー３は、例えば透明な強化ガラスからなり、略矩形板状の上部カバー３ａおよび下部カバー３ｂで二重構造に形成されている。上部カバー３ａは後述する導光板５と略同じ外形寸法に形成され、下部カバー３ｂは上部カバー３ａよりも長寸且つ幅広に形成されており、導光板５よりも外側に張り出す張出部３ｃが全周に渡って一体に形成されている。
【００１７】
表示板４は、例えば合成樹脂成形品であって、横長の略矩形板状に形成され、表示板４の上面には左右方向を差し示す矢印や人物を模したピクトグラムで構成された表示パターンＰが印刷形成されている。なお、本実施形態では、表示板４の外形寸法を上記の枠体１の開口部１ａの開口寸法と略同寸法に設定しており、表示板４の上面全体が上方から視認できるようになっている。
【００１８】
導光板５は、例えば透明なアクリル樹脂成形品であって、上記の表示板４の外形寸法と略同寸法に設定されており、組立状態において表示板４の下方に配置される。この導光板５の左右方向両端面には、組立状態において光源ブロック１１、１１がそれぞれ対向して配置されるようになっており、各光源ブロック１１から照射された光はそれぞれ導光板５の内部を透過して上方（すなわち表示板４側）に照射される。
【００１９】
反射板６は、横長の略矩形板状であって、前後方向両端部が上方に折り曲げられており、下方から導光板５を保持するような形で配置される。また、反射板６の主面には、受光孔６ａ、６ａが点対称な位置にそれぞれ貫設されている。なお、上記の受光孔６ａの一方は、組立状態において後述するリモコン受光ブロック２３の受光素子１９に対向する形に配置され、リモコン送信器（図示せず）から送信されるワイヤレス信号（例えば、赤外線など）を受信できるようになっている。ここにおいて、上記の受光孔６ａ、６ａは点対称な位置に設けられているので、反射板６の左右が入れ替わった状態で取り付けられたとしても何れかの受光孔６ａが受光素子１９に対向するから、ワイヤレス信号を確実に受信できるとともに反射板６の取付ミスを防止することができる。
【００２０】
ベース７は、後述の電装品を収納するためのケースであって、上方が開口した横長矩形箱状のベース本体７ａの内部には、電源端子台２２や、停電時における電源供給用の蓄電池２４や、点灯制御ブロック１２が収納されている。点灯制御ブロック１２は、点灯回路（図示せず）、光源ブロック１１を構成する冷陰極蛍光ランプ２１および蓄電池２４の状況（例えば蓄電池２４の充電状態など）をチェックする自己点検機能を有し、上記の点灯回路を制御する制御回路が内蔵されている。また、ベース本体７ａの左右方向両端部には、光源ブロック１１、１１が互いに対向する形に配置され、上述したように組立状態では、各光源ブロック１１が導光板５の左右方向両端部にそれぞれ対向する形に配置される。さらに、ベース本体７ａの内部には、取付金具２０に取り付けられたスイッチブロック１３およびリモコン受光ブロック２３も収納されている。
【００２１】
取付金具２０は、図１に示すようにそれぞれ略Ｌ字状に形成された取付片２０ｂ、２０ｃが連結片２０ａを介して一体に折曲形成されており、さらに一方の取付片２０ｃは連結片２０ａに対して斜め上方に傾斜する形に折り曲げられている。また、取付片２０ｂにおいて上記の受光素子１９に対応する部位には受光孔２０ｅが貫設され、取付片２０ｃにおいてスイッチブロック１３に対応する部位には該スイッチブロック１３を構成するモニターランプ１５、１６、点検スイッチ１７および自己点検スイッチ１８を露出させる切欠部２０ｆが設けられている（図４（ｂ）参照）。ここにおいて、スイッチブロック１３は図１に示すように固定ねじを用いて取付片２０ｃに取着され、リモコン受光ブロック２３は固定ねじを用いて取付片２０ｂに取着される。
【００２２】
光源ブロック１１は、図３に示すように略コ字型に形成されたランプ保持金具２５と、直管型の冷陰極蛍光ランプ２１とで構成されており、各冷陰極蛍光ランプ２１は、電線２６を介して点灯制御ブロック１２の出力端にそれぞれ接続されている（図５参照）。
【００２３】
灯具本体８は、図３に示すように上面が開口する横長の略矩形箱状であって、灯具本体８の開口端縁には外側に延出する鍔部８ａが全周に渡って設けられている。また、鍔部８ａには、枠体１のねじ挿通孔１ｂおよびパッキン２のねじ挿通孔２ｂに対応する部位に、固定ねじ１０が螺合するねじ孔８ｂがそれぞれ設けられている。
【００２４】
次に、本実施形態の誘導灯Ａの回路構成について説明する。図５は本実施形態の誘導灯Ａの概略ブロック図を示し、点灯制御ブロック１２には電源端子台２２、蓄電池２４、リモコン受光ブロック２３、スイッチブロック１３および冷陰極蛍光ランプ２１がそれぞれ接続されている。ここに、点灯制御ブロック１２は、通常時には電源端子台２２から供給される商用電源ＡＣから動作電源を生成するとともに、点灯回路（図示せず）に電源供給しつつ蓄電池２４を充電し、停電時には蓄電池２４からの放電電力から動作電源を生成するとともに、点灯回路に電源供給を行っている。そして、点灯回路から各冷陰極蛍光ランプ２１にそれぞれ点灯電力が供給されると、各冷陰極蛍光ランプ２１がそれぞれ点灯するようになっている。なお、電源端子台２２には常用消灯スイッチ２２ａが設けられており、点検者などがこの常用消灯スイッチ２２ａを押すと、点灯制御ブロック１２により点灯回路への商用電源ＡＣの供給が遮断され、その結果両光源ブロック１１、１１の冷陰極蛍光ランプ２１、２１が消灯状態となる。
【００２５】
スイッチブロック１３は、モニターランプ１５、１６、点検スイッチ１７および自己点検スイッチ１８で構成され、モニターランプ１５は、例えば赤色のＬＥＤからなり、冷陰極蛍光ランプ２１の状態に応じて点灯、消灯または点滅する。例えば、冷陰極蛍光ランプ２１が正常な場合にはモニターランプ１５は消灯し、ランプ外れやランプ割れなどの異常時には点灯し、さらにランプ交換時期が経過した場合には点滅するようになっている。一方、モニターランプ１６は、例えば緑色のＬＥＤからなり、蓄電池２４の状態に応じて点灯、消灯または点滅する。例えば、蓄電池２４が正常な場合にはモニターランプ１６は点灯し、電池外れの場合には消灯し、さらに電池交換時期が経過した場合には点滅するようになっている。
【００２６】
点検スイッチ１７は、例えばモメンタリ型の押ボタンスイッチであって、本スイッチを押している間だけ非常点灯するようになっている。すなわち、点検スイッチ１７を押している間は、点灯制御ブロック１２により点灯回路への商用電源ＡＣの供給が停止され、蓄電池２４からの放電電力をもとに冷陰極蛍光ランプ２１が点灯することになる。さらに、自己点検スイッチ１８は、例えばモメンタリ型の押ボタンスイッチであって、点灯制御ブロック１２は自己点検スイッチ１８が押されると、商用電源ＡＣの供給を遮断するとともに蓄電池２４により冷陰極蛍光ランプ２１を定格時間非常点灯させ、定格時間経過後は自動的に常用点灯（すなわち商用電源ＡＣによる点灯状態）に切り替える（以下、自己点検という。）。なおこのとき、点灯制御ブロック１２は、冷陰極蛍光ランプ２１および蓄電池２４の状態も合わせて点検し、上述したモニターランプ１５、１６を介して点検結果を表示させる。
【００２７】
リモコン受光ブロック２３は、リモコン送信器（図示せず）から送信されたワイヤレス信号を受信するための受光素子１９を備えており、受光素子１９がワイヤレス信号を受信すると、受信したワイヤレス信号に対応する信号が点灯制御ブロック１２に入力される。そして、点灯制御ブロック１２では入力された信号に応じて各種の制御動作が実行される。例えば、リモコン送信器に設けられた点検スイッチ（図示せず）が押されると、リモコン送信器からは点検スイッチに対応するワイヤレス信号（本実施形態では自己点検に対応する信号）が送信され、受光素子１９がこのワイヤレス信号を受信すると、点灯制御ブロック１２は上述した自己点検を実行することになる。なお、本実施形態の誘導灯Ａでは、リモコン受光ブロック２３を反射板６の下方に配置しているため、反射板６において受光素子１９に対応する部位に受光孔６ａを設けているが、組立状態では受光孔６ａ、取付金具２０に設けた受光孔２０ｅおよび受光素子１９の各中心軸が略一致するように、反射板６、取付金具２０およびリモコン受光ブロック２３がそれぞれ配置されることになる。
【００２８】
次に、誘導灯Ａの組立手順について説明する。なお、以下の説明では、光源ブロック１１、点灯制御ブロック１２、電源端子台２２、蓄電池２４、スイッチブロック１３およびリモコン受光ブロック２３を予めベース７内に収納し、さらに各電装品間を図示しない電線により予め接続しているものとして説明する。まず、床面に埋込配設された埋込ボックス９内に灯具本体８を収納し、電線孔９ａを通して埋込ボックス９内に導入した電源線１４を、電線孔（図示せず）を通して灯具本体８内に導入する。次に、ベース７を灯具本体８内に収納した後、電源線１４を電源端子台２２の入力端に接続する。さらにその後、ベース７の上方に反射板６、導光板５、表示板４、保護カバー３の順番に積層配置する。なおこのとき、反射板６は、一方の受光孔６ａがリモコン受光ブロック２３の受光素子１９に対向するように配置される。そして最後に、上方からパッキン２、枠体１の順番に配置し、ねじ挿通孔１ｂ、２ｂに挿通した各固定ねじ１０をそれぞれ対応するねじ孔８ｂに螺合させると、誘導灯Ａの組み立てが完了する（図４（ａ）参照）。
【００２９】
ここで、図１は誘導灯Ａの組立状態の一例を示す断面図であり、リモコン受光ブロック２３を構成する受光素子１９は、受光面が受光孔６ａ、２０ｅに対向するように配置される。一方、スイッチブロック１３を構成するモニターランプ１５、１６（図１ではモニターランプ１６のみ図示）は、上述したようにスイッチブロック１３を取り付けるための取付片２０ｃを連結片２０ａに対して傾斜させているため、モニターランプ１５、１６から照射される光（以下、直射光という。）は斜め方向に照射されることになるが、本実施形態では保護カバー３の下部カバー３ｂに導光板５よりも外側に張り出す張出部３ｃを形成しているので、モニターランプ１５、１６の直射光は、保護カバー３の張出部３ｃを透過して枠体１の開口部１ａから斜め上方（図１中の矢印ａの向き）に照射されることになる。なお本実施形態で用いるモニターランプ１５、１６は、直射光が矢印ａを中心としてθ１（θ１＝１２．４°）の角度で拡散するようになっており、また視認できる最大角度は床面からθ２（θ２＝７５°）となっている。
【００３０】
而して、図１に示す誘導灯Ａによれば、モニターランプ１５、１６を斜め方向から視認できるように構成することで、誘導灯Ａから離れた位置からでもモニターランプ１５、１６の状態確認を行うことができるから、誘導灯Ａが複数ある場合であっても確認時間を短縮することができ、特許文献１に示した誘導灯に比べて作業性を向上させることができる。また、従来例のように保護カバーや枠などの外郭部品を取り外さなくてもよく、さらにモニターランプ１５、１６を確認しながら、例えばリモコン操作なども同時に行うこともできるから利便性が向上する。また、モニターランプを枠などの外郭部品に設けた場合に比べて枠体１を簡単な構造にすることができるから、コストアップを抑えることができ、さらに枠と表示板あるいは枠と導光板の間に隙間を設ける必要がないから、内部構造が見え難くなり外観美観性が向上する。
【００３１】
ここで、図２は本実施形態における誘導灯Ａの組立状態の別の例を示す断面図であり、例えば保護カバー３の製作誤差により、組立状態において保護カバー３を構成する上部カバー３ａの端面３ｄが正規の位置（図１に示す位置）よりも内側（図２中の左側）に位置している。この場合、モニターランプ１５、１６（図２ではモニターランプ１６のみ図示）の直射光は図中の破線ｂの向きに照射されることになるが、図２に示すように上部カバー３ａの端面３ｄで遮られるため上方からランプ光を確認することができない。したがって、本実施形態では保護カバー３の製作誤差があった場合でも、モニターランプ１５、１６のランプ光を確認できるように、取付片２０ｃの先端部に反射片２０ｄ（反射板）を設けている（図６、７参照）。
【００３２】
まず、図６は保護カバー３が製作誤差のない寸法で製作された場合（すなわち、図１と同様）を示しており、この場合モニターランプ１５、１６（図６ではモニターランプ１６のみ図示）の直射光は斜め上方（図６中の矢印ａの向き）に照射される。なおこの場合も、図１に示す誘導灯Ａと同様に、モニターランプ１５、１６の直射光が、矢印ａを中心としてθ１（θ１＝１２．４°）の角度で拡散するようになっており、また視認できる最大角度は床面からθ２（θ２＝７５°）となっている。また、モニターランプ１５、１６のランプ光の一部は上記の反射片２０ｄにより反射され、保護カバー３の内部を通過して枠体１の開口部１ａから斜め上方（図６中の矢印ｃの向き）に照射される。なお、この反射光は、矢印ｃを中心としてθ３（θ３＝１３．５°）の角度で拡散するようになっており、また反射光を視認できる最大角度は床面からθ４（θ４＝４７°）となっている。すなわち、本実施例の場合にはモニターランプ１５、１６の直射光、反射光ともに視認できるようになっている。
【００３３】
一方、図７は保護カバー３が製作誤差を含む寸法で製作された場合を示しており、この場合モニターランプ１５、１６の直射光は図２の場合と同様に上部カバー３ａの端面３ｄで遮られ、上方から視認することができない。しかし、モニターランプ１５、１６のランプ光の一部は上記の反射片２０ｄにより反射され、保護カバー３の内部を通過して枠体１の開口部１ａから斜め上方（図７中の矢印ｃの向き）に照射される。すなわち、本実施例の場合、モニターランプ１５、１６の直射光は視認できないが、反射光は視認できるようになっている。
【００３４】
ここにおいて、上記の反射片２０ｄは、モニターランプ１５、１６の上方（前方）に配置されており、モニターランプ１５、１６の反射光（図７中の実線ｃ）は表示板４および反射板６に干渉しないような角度で反射される。また、上記の反射光は上述した直射光（図７中の破線ａ）よりも浅い角度であって、且つ、上部カバー３ａの端面３ｄに当たらない角度で反射される。すなわち、上記すべての条件を満たすように光を反射させることによって、外部からランプ光を視認できるとともに、直射光よりも離れた位置からでもランプ光を視認できるのである。
【００３５】
而して、図６、７に示す誘導灯Ａによれば、部品製造時のばらつきや施工時の嵌合ばらつきなど（例えば、保護カバー３の製作誤差など）によってモニターランプ１５、１６の直射光が視認できない場合であっても、反射片２０ｄによる反射光を視認することができるから、モニターランプ１５、１６の状態確認を確実に行うことができる。
【００３６】
ここで、図８は本実施形態の誘導灯Ａに対してリモコン送信器２７を用いて自己点検を行う場合を示しており、図中の領域ｄはモニターランプ（図示せず）の直射光が視認できる領域、領域ｅは反射光が視認できる領域をそれぞれ示している。今、誘導灯Ａから点検者Ｘまでの水平距離Ｌ≒１．５ｍ、点検者Ｘの視線の高さＨ≒１．６ｍであるとすると、点検者Ｘが誘導灯Ａのモニター部分を見下ろす角度θ５≒４７°となるから、上述したθ４と略一致することになり、点検者Ｘからはモニターランプの反射光が見えることになる。この場合、モニターランプを確認しながらリモコン操作を行うこともできるから、利便性が向上するという利点がある。
【００３７】
なお、本実施形態では、保護カバー３を上部カバー３ａおよび下部カバー３ｂで二重構造に形成しているが、保護カバーの構造は本実施形態に限定されるものではなく、導光板側の部位に当該導光板よりも外側に張り出す張出部が設けられていれば一体であってもよい。また、点検者Ｘから誘導灯Ａまでの距離Ｌは一例であって、例えば誘導灯の配置レイアウトなどに応じて距離Ｌを適宜設定してもよい。
【図面の簡単な説明】
【００３８】
【図１】本実施形態の誘導灯の一部省略せる断面図である。
【図２】同上の一部省略せる別の断面図である。
【図３】同上の分解斜視図である。
【図４】同上を示し、（ａ）は斜視図、（ｂ）は要部詳細図である。
【図５】同上の概略ブロック図である。
【図６】同上の一部省略せるさらに別の断面図である。
【図７】同上の一部省略せるまたさらに別の断面図である。
【図８】同上をリモコン操作する際の動作説明図である。
【符号の説明】
【００３９】
１  枠体
１ａ  開口部
３  保護カバー
３ｃ  張出部
４  表示板
５  導光板
１６  モニターランプ
Ａ  誘導灯
【図１】
2010027244.tif 000003
【図２】
2010027244.tif 000004
【図３】
2010027244.tif 000005
【図４】
2010027244.tif 000006
【図５】
2010027244.tif 000007
【図６】
2010027244.tif 000008
【図７】
2010027244.tif 000009
【図８】
2010027244.tif 000010